(57)【特許請求の範囲】
【請求項１】
出入口を有する収納袋部を備えた小物入れポケットにおいて、前記収納袋部内で外底部のほかに内底部を設け、この内底部を外底部と出入口との間で移動させる小物出入補助手段を備え、
該小物出入補助手段においては、受体の一端部を受体連結部で取着し、この受体を折り曲げてその折曲部を前記内底部とし、
前記受体の他端部を外底部側から出入口側へ引くことにより前記内底部が外底部から出入口へ向けて移動するように、前記受体の他端部を受体支持部で移動可能に支持し、
前記受体連結部とこの受体支持部とをつなぐ受体の長さを変更可能にしたことを特徴とする小物入れポケット。
【請求項２】
出入口を有する収納袋部と、この出入口を開閉する蓋部とを備えた小物入れポケットにおいて、前記収納袋部内で外底部のほかに内底部を設け、この内底部を外底部と出入口との間で移動させる小物出入補助手段を備え、
該小物出入補助手段においては、受体の一端部を受体連結部で取着し、この受体を折り曲げてその折曲部を前記内底部とし、
前記受体の他端部を外底部側から出入口側へ引くことにより前記内底部が外底部から出入口へ向けて移動するように、前記受体の他端部を受体支持部で移動可能に支持し、
前記受体連結部とこの受体支持部とをつなぐ受体の長さを変更可能にしたことを特徴とする小物入れポケット。
【請求項３】
出入口を有する収納袋部を備えた小物入れポケットにおいて、前記収納袋部内で外底部のほかに内底部を設け、この内底部を外底部と出入口との間で移動させる小物出入補助手段を備え、
該小物出入補助手段においては、受体の一端部を受体連結部で取着し、この受体を折り曲げてその折曲部を前記内底部とし、
前記受体の他端部を外底部側から出入口側へ引くことにより前記内底部が外底部から出入口へ向けて移動するように、前記受体の他端部を受体連結部で取着し、
この受体の両端部を取着する両受体連結部間をつなぐ受体の長さを一定にしたことを特徴とする小物入れポケット。
【請求項４】
出入口を有する収納袋部と、この出入口を開閉する蓋部とを備えた小物入れポケットにおいて、前記収納袋部内で外底部のほかに内底部を設け、この内底部を外底部と出入口との間で移動させる小物出入補助手段を備え、
該小物出入補助手段においては、受体の一端部を受体連結部で取着し、この受体を折り曲げてその折曲部を前記内底部とし、
前記受体の他端部を外底部側から出入口側へ引くことにより前記内底部が外底部から出入口へ向けて移動するように、前記受体の他端部を受体連結部で取着し、
この受体の両端部を取着する両受体連結部間をつなぐ受体の長さを一定にしたことを特徴とする小物入れポケット。
【請求項５】
前記受体の他端部は、前記収納袋部の出入口を開閉する蓋部として兼用されていることを特徴とする請求項１又は２に記載の小物入れポケット。
【請求項６】
前記収納袋部の出入口を開閉する蓋部をその出入口に対し開いた場合に、受体の他端部が外底部側から出入口側へ引かれるように、両受体連結部間をつなぐ受体の長さが設定されていることを特徴とする請求項３又は４に記載の小物入れポケット。
【請求項７】
請求項１から請求項６のうちいずれかの請求項に記載の小物入れポケットを備えたことを特徴とするかばん類。
【請求項８】
請求項１から請求項６のうちいずれかの請求項に記載の小物入れポケットを備えたことを特徴とする衣類。
【発明の詳細な説明】
【０００１】
【発明の属する技術分野】
本発明は、携帯電話やたばこなどの小物を収納し得る各種小物入れポケット並びにこの小物入れポケットを有するかばん類及び衣類に関するものである。
【０００２】
【従来の技術及び発明が解決しようとする課題】
例えば、かばんに設けた小物入れポケットに携帯電話を収納する場合、風雨からの携帯電話の保護や、小物入れポケットのコンパクト化のために、一般には、小物入れポケットに携帯電話のほぼ全体を収納して蓋部を閉じるようになっている。しかし、携帯電話を把持しにくくなって小物入れポケットから取り出すのに不便であった。
【０００３】
この発明は、かばん類や衣類などの小物入れポケットにおいて、特に携帯電話を取り出し易くすることを目的としている。
【０００４】
【課題を解決するための手段及び発明の効果】
後記実施形態の図面（図１〜３に示す第一実施形態、図４に示す第一実施形態の別例、図５〜６に示す第二実施形態、図７に示す第二実施形態の別例、図８〜１０に示す第三実施形態、図１１に示す第三実施形態の別例）の符号を援用して本発明を説明する。
【０００５】
請求項１または請求項３の発明にかかる小物入れポケットは、第一、第二及び第三の実施形態並びにそれらの別例に対応し、下記の構成を備える。
【０００６】
この小物入れポケット（例えば携帯電話収納部１）は、出入口（３）を有する収納袋部（２）を備えている。前記収納袋部（２）内で外底部（１０）のほかに内底部（１１）を設け、この内底部（１１）を外底部（１０）と出入口（３）との間で移動させる小物出入補助手段（携帯電話出入補助手段７）を備えている。なお、この出入口（３）を開閉する蓋部を設ける場合と設けない場合とがある。
【０００７】
請求項２又は４の発明にかかる小物入れポケットは、第一、第二及び第三の実施形態並びにそれらの別例に対応し、下記の構成を備える。
この小物入れポケット（例えば携帯電話収納部１）は、出入口（３）を有する収納袋部（２）と、この出入口（３）を開閉する蓋部（４）とを備えている。前記収納袋部（２）内で外底部（１０）のほかに内底部（１１）を設け、この内底部（１１）を外底部（１０）と出入口（３）との間で移動させる小物出入補助手段（携帯電話出入補助手段７）を備えている。ここに蓋部（４）とは、広義に解釈し、後記実施形態のように収納袋部（２）の出入口（３）に対し蓋部（４）を直接設ける形態ばかりではなく、図示はしないが、蓋付き外袋内に収納袋部（２）を設けてもよく、この場合には外袋の蓋が収納袋部（２）に対する蓋部（４）に該当する。
【０００８】
上記にそれぞれ示した構成では、小物（例えば携帯電話Ｔ）を内底部（１１）上に載せて収納袋部（２）に収納した収納状態で、小物出入補助手段（７）において内底部（１１）を外底部（１０）から出入口（３）へ向けて移動させると、携帯電話（Ｔ）が内底部（１１）により持ち上げられて出入口（３）から突出する。そのため、出入口（３）からの携帯電話（Ｔ）の突出寸法（Ｍ）が大きくなり、その突出部分を把持し易くなる。従って、携帯電話（Ｔ）を収納袋部（２）から取り出し易くなる。
【０００９】
また、請求項１乃至４の発明では、第一、第二及び第三の実施形態並びにそれらの別例に対応し、下記の構成も備える。
【００１０】
前記小物出入補助手段（７）においては、例えば収納袋部（２）に設けた受体連結部（９）で受体（例えば帯体８や紐）の一端部を取着し、この受体（８）を折り曲げてその折曲部に前記内底部（１１）を設けた。この発明では、受体（８）を収納袋部（２）内で折り曲げるだけの簡単な構造により、内底部（１１）を設けることができる。
また、前記小物出入補助手段（７）においては、前記受体（８）の他端部を外底部（１０）側から出入口（３）側へ引くことにより、前記内底部（１１）を外底部（１０）から出入口（３）へ向けて移動させる。この発明では、小物（例えば携帯電話Ｔ）を内底部（１１）により持ち上げて出入口（３）から容易に突出させることができる。
【００１３】
＊  請求項１又は２の発明は、第一実施形態及び第三実施形態並びにそれらの別例に対応し、上記構成に加え下記の構成も備える。
【００１４】
前記受体（８）の他端部は、例えば蓋部（４）または収納袋部（２）に設けた受体支持部（１２）で移動可能に支持され、前記受体連結部（９）とこの受体支持部（１２）とをつなぐ受体（８）の長さを変更可能にした。この発明では、受体（８）を収納袋部（２）内で確実に保持した状態で、受体（８）の他端部を外底部（１０）側から出入口（３）側へ引くことができる。従って、受体（８）が安定して操作を行い易くなる。
【００１５】
請求項３または４の発明は第二実施形態及びその別例に対応し、上記に示した構成に加え下記の構成も備える。
前記受体（８）の他端部を、例えば蓋部（４）に設けた受体連結部（１５）で取着し、この受体（８）の両端部を取着する両受体連結部間（９，１５）をつなぐ受体（８）の長さを一定にした。この発明では、受体（８）を収納袋部（２）内で確実に保持した状態で、受体（８）の他端部を外底部（１０）側から出入口（３）側へ引くことができる。従って、受体（８）が安定して操作を行い易くなる。
【００１６】
請求項５の発明は、請求項１または２の発明を前提として下記のように構成されている。
前記受体（８）の他端部は、前記収納袋部（２）の出入口（３）を開閉する蓋部（４）として兼用されている。この発明では、小物出入補助手段（７）の構造を簡単にすることができるばかりではなく、開いた蓋部（４）を把持したまま外底部（１０）側から出入口（３）側へ引くことができ、より一層操作性を向上させることができる。
【００１９】
請求項６の発明は、第二実施形態及びその別例に対応し、請求項３または４の発明を前提として下記のように構成されている。
【００２０】
前記収納袋部（２）の出入口（３）を開閉する蓋部（４）をその出入口（３）に対し開いた場合に、受体（８）の他端部が外底部（１０）側から出入口（３）側へ引かれるように、両受体連結部（９，１５）間をつなぐ受体（８）の長さが設定されている。この発明では、蓋部（４）を開くだけの簡単な操作により、受体（８）の他端部を外底部（１０）側から出入口（３）側へ引くことができる。従って、より一層操作性を向上させることができる。
【００２１】
＊  請求項７の発明
この発明にかかるかばん類（Ｂ）は、請求項１から請求項６のうちいずれかの請求項の発明に記載の小物入れポケット（例えば携帯電話収納部１）を備えている。この発明によれば、かばん類（Ｂ）において、請求項１から請求項８のうちいずれかの請求項の発明の効果を発揮する。ちなみに、かばん類（Ｂ）とは、広義に解釈し、物を収納して保管または運搬し得る各種用途のものをいい、この小物入れポケットのみを有するものも含む。なお、このかばん類（Ｂ）を身体や別のかばん内に対し着脱可能に取り付けてもよい。
【００２２】
＊  請求項８の発明
この発明にかかる衣類（Ｃ）は、請求項１から請求項６のうちいずれかの請求項の発明に記載の小物入れポケット（例えば携帯電話収納部１）を備えている。
この発明によれば、衣類（Ｃ）において、請求項１から請求項８のうちいずれかの請求項の発明の効果を発揮する。ちなみに、衣類（Ｃ）とは、主に上着やズボンや外套などの外着をいうが、広義に解釈し、人が着ることができる各種用途のものをいう。
【００２３】
【発明の実施の形態】
〔第一実施形態〕
まず、本発明の第一実施形態にかかるかばんについて図１、図２及び図３を参照して説明する。
【００２４】
このかばんＢの一部には小物入れポケットとして携帯電話収納部１が設けられている。この携帯電話収納部１は、出入口３を有する収納袋部２と、この出入口３を開閉する蓋部４とを備えている。この収納袋部２は前壁部２ａと後壁部２ｂと左壁部２ｃと右壁部２ｄと底壁部２ｅとを有している。この収納袋部２の前壁部２ａの外側とこの蓋部４の内側とにはそれぞれ面ファスナー５，６が取着され、蓋部４により収納袋部２の出入口３を閉じた状態でこれらの面ファスナー５，６が互いに結合される。この収納袋部２内には下記＊で詳述する携帯電話出入補助手段７が設けられている。
【００２５】
＊  前記携帯電話出入補助手段７
前記収納袋部２内には柔軟な帯体８（受体）が収容され、この帯体８の一端部が前壁部２ａの内側に対し出入口３の付近で帯体連結部９により取着されている。この帯体８は、帯体連結部９から前壁部２ａの内側に沿って底壁部２ｅの付近まで垂れ下がり、この底壁部２ｅの内側にある外底部１０に面してＵ状に折り曲げられ、そのＵ状折曲部（内底部１１）から後壁部２ｂの内側に沿って持ち上げられて出入口３に至る。さらに、帯体８の他端部は、蓋部４の内側に取着された帯体支持部１２に挿通され、この帯体支持部１２を挟む両側にストッパ１３ａ，１３ｂを有している。この帯体８の他端には紐状の取っ手１４が連結されている。両ストッパ１３ａ，１３ｂが帯体支持部１２に当たるまで帯体８を帯体支持部１２に対し移動させることができ、その移動に伴い、帯体連結部９と帯体支持部１２とをつなぐ帯体８の長さが変わる。
【００２６】
図１に示す収納状態では、携帯電話Ｔが収納袋部２内でＵ状帯体８間に挟まれた状態でこの帯体８の内底部１１上に載せられて収納され、この収納袋部２の出入口３が蓋部４により閉じられている。この収納状態で、図２に示すように収納袋部２の出入口３に対し蓋部４を開くと、携帯電話Ｔの上端部が出入口３で僅かに露出する。図２の開放状態で、図３に示すように取っ手１４を上方へ引くと、帯体８の内底部１１が外底部１０から出入口３へ向けて移動し、携帯電話Ｔが帯体８により持ち上げられてその上端部が出入口３から突出する。そのため、出入口３からの携帯電話Ｔの突出寸法Ｍが大きくなり、その突出部分を把持し易くなって携帯電話Ｔを収納袋部２から取り出し易くなる。収納袋部２の出入口３に対し蓋部４を開いた状態で携帯電話Ｔを収納袋部２内に押し込んだ後、収納袋部２の出入口３に対し蓋部４を閉じると、図１に示す収納状態になる。
【００２７】
〔第一実施形態の別例〕
次に、本発明の第一実施形態の別例にかかる衣類について図４（ａ）（ｂ）（ｃ）を参照して説明する。
【００２８】
図４（ａ）（ｂ）（ｃ）に示す衣類Ｃ（上着やズボンや外套などの外着）の一部には、第一実施形態と同様な小物入れポケットとして携帯電話収納部１が設けられている。図４（ａ）（ｂ）（ｃ）は、それぞれ、第一実施形態における図１（ａ）、図２（ａ）及び図３（ａ）に対応する。第一実施形態における図１（ｂ）、図２（ｂ）及び図３（ｂ）は、それぞれ、この別例においても同様である。
【００２９】
〔第二実施形態〕
次に、本発明の第二実施形態にかかるかばんについて図５及び図６を参照して説明する。この第二実施形態は、第一実施形態と比較して携帯電話出入補助手段７を異にする。以下、第一実施形態との相違点を中心に述べる。
【００３０】
前記帯体８の他端部は蓋部４の内側に対し帯体連結部１５で取着されている。そのため、第一実施形態における帯体支持部１２と両ストッパ１３ａ，１３ｂと紐状取っ手１４はそれぞれ省略されている。この帯体８の両端部を取着する両帯体連結部９，１５間をつなぐ帯体８の長さは一定になっている。図５に示す収納状態で、図６に示すように収納袋部２の出入口３に対し蓋部４を開くと、帯体８の他端部が蓋部４により外底部１０側から出入口３側へ引かれ、帯体８の内底部１１が外底部１０から出入口３へ向けて移動する。そのため、携帯電話Ｔが帯体８により持ち上げられてその上端部が出入口３から突出し、出入口３からの携帯電話Ｔの突出寸法Ｍが大きくなって携帯電話Ｔを収納袋部２から取り出し易くなる。
【００３１】
〔第二実施形態の別例〕
次に、本発明の第二実施形態の別例にかかる衣類について図７（ａ）（ｂ）を参照して説明する。
【００３２】
図７（ａ）（ｂ）に示す衣類Ｃ（上着やズボンや外套などの外着）の一部には、第二実施形態と同様な小物入れポケットとして携帯電話収納部１が設けられている。図７（ａ）（ｂ）は、それぞれ、第二実施形態における図５（ａ）及び図６（ａ）に対応する。第二実施形態における図５（ｂ）及び図６（ｂ）は、それぞれ、この別例においても同様である。
【００３３】
〔第三実施形態〕
次に、本発明の第三実施形態にかかるかばんについて図８、図９及び図１０を参照して説明する。この第三実施形態は、第一実施形態と比較して携帯電話出入補助手段７を異にする。以下、第一実施形態との相違点を中心に述べる。
【００３４】
前記帯体８の他端部は収納袋部２に対しその出入口３付近に取着された帯体支持部１２により移動可能に支持され、前記帯体連結部９とこの帯体支持部１２とをつなぐ帯体８の長さが変更可能になっている。この帯体８の他端に連結された取っ手１４は、前記蓋部４として兼用されている。図８に示す収納状態で、図９に示すように収納袋部２の出入口３に対し蓋部４を開き、その蓋部４（取っ手１４）を把持したまま外底部１０側から出入口３側へ引くと、図１０に示すように、帯体８の内底部１１が外底部１０から出入口３へ向けて移動する。そのため、携帯電話Ｔが帯体８により持ち上げられてその上端部が出入口３から突出し、出入口３からの携帯電話Ｔの突出寸法Ｍが大きくなって携帯電話Ｔを収納袋部２から取り出し易くなる。
【００３５】
〔第三実施形態の別例〕
次に、本発明の第三実施形態の別例にかかる衣類について図１１（ａ）（ｂ）（ｃ）を参照して説明する。
【００３６】
図１１（ａ）（ｂ）（ｃ）に示す衣類Ｃ（上着やズボンや外套などの外着）の一部には、第三実施形態と同様な小物入れポケットとして携帯電話収納部１が設けられている。図１１（ａ）（ｂ）（ｃ）は、それぞれ、第三実施形態における図８（ａ）、図９（ａ）及び図１０（ａ）に対応する。第三実施形態における図８（ｂ）、図９（ｂ）及び図１０（ｂ）は、それぞれ、この別例においても同様である。
【図面の簡単な説明】
【図１】（ａ）は第一実施形態にかかるかばんにおいて小物入れポケットとしての携帯電話収納部に携帯電話を収納した状態を示す正面図であり、（ｂ）はこの携帯電話収納部の断面図である。
【図２】（ａ）は図１の収納状態から携帯電話収納部の蓋部を開いた開放状態を示す正面図であり、（ｂ）はこの携帯電話収納部の断面図である。
【図３】（ａ）は図２の開放状態で携帯電話収納部から携帯電話を取り出す状態を示す正面図であり、（ｂ）はこの携帯電話収納部の断面図である。
【図４】（ａ）は第一実施形態の別例にかかる衣類において小物入れポケットとしての携帯電話収納部に携帯電話を収納した状態を示す正面図であり、（ｂ）は（ａ）の収納状態から携帯電話収納部の蓋部を開いた開放状態を示す正面図であり、（ｃ）は（ｂ）の開放状態で携帯電話収納部から携帯電話を取り出す状態を示す正面図である。
【図５】（ａ）は第二実施形態にかかるかばんにおいて小物入れポケットとしての携帯電話収納部に携帯電話を収納した状態を示す正面図であり、（ｂ）はこの携帯電話収納部の断面図である。
【図６】（ａ）は図５の収納状態から携帯電話収納部の蓋部を開くとともに携帯電話収納部から携帯電話を取り出す状態を示す正面図であり、（ｂ）はこの携帯電話収納部の断面図である。
【図７】（ａ）は第二実施形態の別例にかかる衣類において小物入れポケットとしての携帯電話収納部に携帯電話を収納した状態を示す正面図であり、（ｂ）は（ａ）の収納状態から携帯電話収納部の蓋部を開くとともに携帯電話収納部から携帯電話を取り出す状態を示す正面図である。
【図８】（ａ）は第三実施形態にかかるかばんにおいて小物入れポケットとしての携帯電話収納部に携帯電話を収納した状態を示す正面図であり、（ｂ）はこの携帯電話収納部の断面図である。
【図９】（ａ）は図８の収納状態から携帯電話収納部の蓋部を開いた開放状態を示す正面図であり、（ｂ）はこの携帯電話収納部の断面図である。
【図１０】（ａ）は図９の開放状態で携帯電話収納部から携帯電話を取り出す状態を示す正面図であり、（ｂ）はこの携帯電話収納部の断面図である。
【図１１】（ａ）は第三実施形態の別例にかかる衣類において小物入れポケットとしての携帯電話収納部に携帯電話を収納した状態を示す正面図であり、（ｂ）は（ａ）の収納状態から携帯電話収納部の蓋部を開いた開放状態を示す正面図であり、（ｃ）は（ｂ）の開放状態で携帯電話収納部から携帯電話を取り出す状態を示す正面図である。
【符号の説明】
Ｂ…かばん（かばん類）、Ｃ…衣類、１…携帯電話収納部、２…収納袋部、３…出入口、４…蓋部、７…携帯電話出入補助手段（小物出入補助手段）、８…帯体（受体）、９…帯体連結部（受体連結部）、１０…外底部、１１…内底部、１２…帯体支持部（受体支持部）、１５…帯体連結部（受体連結部）。
【図１】
0003550136.tif 000002
【図２】
0003550136.tif 000003
【図３】
0003550136.tif 000004
【図４】
0003550136.tif 000005
【図５】
0003550136.tif 000006
【図６】
0003550136.tif 000007
【図７】
0003550136.tif 000008
【図８】
0003550136.tif 000009
【図９】
0003550136.tif 000010
【図１０】
0003550136.tif 000011
【図１１】
0003550136.tif 000012